(57)【要約】      （修正有）【課題】包装容器に係る費用を抑え、低価格商品自体を贈答用に選んでも遜色なく相手側に送り手側の日ごろの気持ちがメッセージとして伝わる新規な商品包装用袋を提供する。【解決手段】浴剤が収納された無地の袋体２に帯紙３をあてがい、この帯紙３の両縁を袋体２と接着させる。また、帯紙３に、熨斗模様５若しくはメッセージ文字６を施す。【選択図】図１
0003194081.tif 000002
【実用新案登録請求の範囲】
【請求項１】
袋体の内部に浴剤を封入してある袋詰め入浴剤であって、
前記袋体は、表面から裏面の一部分にかけて帯紙があてがわれ、
該裏面には、ＪＡＮコードを有する製品説明表示シールが張り付けられ、
該帯紙の両端を折り返して、該袋体の裏面に付ける場合には、
該帯紙の両端のうち何れかが、該ＪＡＮコード部分に重なることなく付けられていることを特徴とする袋詰め入浴剤。
【請求項２】
前記帯紙は、熨斗模様を有していることを特徴とする請求項１に記載の袋詰め入浴剤。
【請求項３】
前記帯紙は、メッセージ文字を有していることを特徴とする請求項１乃至請求項２のいずれかに記載の袋詰め入浴剤。
【請求項４】
前記帯紙は、少なくとも一か所が無地・無模様の袋体と接着されていることを特徴とする請求項１乃至請求項３のいずれかに記載の袋詰め入浴剤。
【考案の詳細な説明】
【技術分野】
【０００１】
本考案は、入浴剤に関するものである。
【背景技術】
【０００２】
従来、市販の入浴剤であって特に１回分ごとに使用できるよう袋詰めにされているものは、その表面に印刷で商品名称やイラストその他の模様が施され、更に側面や裏面などにその商品説明や製造者の情報等が記載されている。
【０００３】
そのため、ちょっとしたお礼や、感謝の気持ちを込めた贈り物をしたい場合でも、その入浴剤の袋表面に印刷されたデザインによっては、贈り物としてふさわしくない商品となるためその選定は容易ではなかった。
【０００４】
また、わが国では古来より熨斗を用いる風習があり、現代では、熨斗をさらに簡略化した熨斗紙を用いることで、その進物や贈答品がどのようなものであれ、単なるプレゼントとは区別された扱いがなされている。
【０００５】
そのため、熨斗紙には、いわゆる「つまらないもの」でも、気遣いを伝える手段としての効果を有しているといえるが、わざわざ熨斗紙を別途購入するには至っていないのが現状でもあった。
【０００６】
これらの問題を解消すべく表面印刷に代わる入浴剤として印刷したシールを張り付けることも考えられるが、この方法では安っぽく商品として見劣りしてしまい、より商品性の高いパッケージング手段が上記問題の解消に不可欠であった。
【０００７】
一方、製造者側にとって、当初より数量・地域を限定してオリジナル商品等を販売する場合には、これまで通り大量生産することによる手法が通じないことが多かった。
【０００８】
そのため、納期の短縮など顧客ニーズへの対応と、在庫費用及び在庫リスクの低減を目的とした小ロット生産によるメリットを生かした手法との融合が必要であった。
【非特許文献１】実開平５−７７２２０
【考案の開示】
【考案が解決しようとする課題】
【０００９】
そこで、このような問題を解消すべく、袋詰め入浴剤に係る費用を抑え、低価格商品自体を贈答用に選んでも遜色なく相手側に送り手側の日ごろの気持ちがメッセージとして伝わる新規な袋詰め入浴剤を提供する。
【課題を解決するための手段】
【００１０】
商品を収納する袋体には一切印刷等はせず、代わりに帯紙をあてがい、商品内容の説明や製造者情報は別途シールを張り合わせることとする。
【考案の効果】
【００１１】
本考案によれば、入浴剤１個あたりのコストを抑えつつ、数量・地域を限定したオリジナル商品の販売が可能となる。
【００１２】
そして、袋体を覆った帯紙の全スペースに筆記具等で自由に図柄やメッセージが書き込めるため、貰い手に合わせたオリジナル入浴剤をプレゼントすることができる。
【００１３】
また、帯紙が透視紙であれば、袋体と帯紙との隙間に写真や押し花等を挟むことで、背景アレンジスペースとして使用が可能となる。
【００１４】
更に、予め帯紙の一部に熨斗模様を施すことや感謝の気持ちを表すフレーズを帯紙の一部に施すことでも、気遣いを伝える手段としての効果をもたらすことができる。
【考案を実施するための最良の形態】
【００１５】
浴剤が収納された無地の袋体に帯紙をあてがい、この帯紙の両縁を袋体と接着させる。また、帯紙に、熨斗模様若しくはメッセージ文字を施す。
【実施例１】
【００１６】
以下、図１乃至図４を参照して本考案に係る袋詰め入浴剤の実施例を説明する。
まず、図４のように浴剤を封入した矩形の袋体２に対して、所定の長さの帯紙３をあてがい、帯紙３の両端を折り返して、袋体２の裏面にかかる状態で袋体２と接着させて図１のように袋詰め入浴剤１を完成させる。
【００１７】
このとき、先に別途袋体の裏面には、図２のように製品説明表示シール４を任意の大きさで貼りつけておくため、折り返した帯紙３の両端のうち何れかがこの製品説明表示シール面の右下端に位置するＪＡＮコード部分と重ならないように注意する。
【００１８】
ここで、ＪＡＮコードとは、日本工業規格に定められている商品識別番号とバーコードの 規格であって、13桁の標準タイプと8桁の短縮タイプの2種類がある。
【００１９】
また、製品説明表示シール４には、ＪＡＮコードの他に、商品名、使用方法、注意事項、成分、製造者等が、文章、イラストなどが記述的に記載しておく。
【００２０】
なお、帯紙３の両縁と袋体２との接着は、接着剤やシール７等によるものとするが、製品説明表示シール４を袋体２と帯紙３の両縁の接着に使用することもできる。
【００２１】
また、浴剤を封入する袋体については特に限定するものではなく、例えばアルミニウムをラミネートした包装用袋など、入浴剤の品質が損なわれないものを使用すると良い。
【００２２】
そして、帯紙として、水性または油性のペンで書くことが可能であればなんでも良く、透視紙を用いる場合は、印刷も可能なトレーシングペーパーを使用することが望ましい。
【００２３】
帯紙に熨斗模様５を印刷する際は、図３のように、右上端に位置することが望ましい。
【００２４】
また、メッセージ文字６としては、「いつもありがとう」、「感謝しています」、「お疲れ様です」、「元気でいてね」等と日ごろの気持ちをメッセージとすることが望ましい。
【００２５】
なお、熨斗模様５及びメッセージ文字６以外にも文字や図形等を印刷しても構わない。
【００２６】
このように、好ましい実施例を挙げて本考案を説明したが、本考案はその実施例に限定されるものではなく、本考案の要旨の範囲内で種々に組み合わせや改変できる。
【図面の簡単な説明】
【００２７】
【図１】本考案に係る袋詰め入浴剤の正面図である。
【図２】本考案に係る袋詰め入浴剤の裏面図である。
【図３】本考案に係る袋詰め入浴剤の帯紙の一例を示す図である。
【図４】本考案に係る袋詰め入浴剤の帯紙を袋体にあてがう前の図である。
【符号の説明】
【００２８】
１  袋詰め入浴剤
２  袋体
３  帯紙
４  製品説明表示シール
５  熨斗模様
６  メッセージ文字
７  シール
【図１】
0003194081.tif 000003
【図２】
0003194081.tif 000004
【図３】
0003194081.tif 000005
【図４】
0003194081.tif 000006